(57)【特許請求の範囲】
【請求項１】
データ処理により、シンボルが発生され、または機能が実行されるように、キーとなるシンボルをそれぞれ表示する複数のウィンドウにより構成されるウィンドウ・クラスターをタッチセンサー面上に表示する高速入力システムが、文字を含むシンボルをペンまたは指により入力する方法であって、
タップ及び／またはストロークを使用して入力することを有し、前記入力することは、
（イ）ペンまたは指が、選択された前記ウィンドウ上にタップされることと、
（ロ）ペンまたは指が少なくとも４つのストローク方向の内の１つに移動され、それが繰り返されることによりシンボルを発生することと、
（ハ）ペンまたは指が持ち上げられ、前記ウィンドウから外されることによりシンボルが選択されることとを含み、
前記ステップ（ロ）は、
前記タッチセンサー面上に、ストロークにより選択された第１の選択された前記ウィンドウの周囲に、少なくとも４つのストローク方向に前記第１の選択されたウィンドウに隣接して、前記第１の選択されたウィンドウからのストロークにより選択される複数の第１の選択されるウィンドウであって、シンボルをそれぞれ表示する第１の選択されるウィンドウにより構成される前記ウィンドウ・クラスターを表示することと、
前記複数の第１の選択されるウィンドウの１つが前記第１の選択されたウィンドウからのストロークにより第２の選択されたウィンドウとして選択されると、前記第１の選択されたウィンドウにより発生されたシンボルを前記第２の選択されたウィンドウにより発生されたシンボルにより置き換えることと、
前記置き換えることと並列に、前記第２の選択されたウィンドウの周囲に、少なくとも４つのストローク方向に前記第２の選択されたウィンドウに隣接して、前記第２の選択されたウィンドウからストロークにより選択される複数の第２の選択されるウィンドウであって、シンボルをそれぞれ表示する第２の選択されるウィンドウにより構成される前記ウィンドウ・クラスターを表示することとを含み、
前記入力することは、第１ないし第４の入力することの少なくとも１つを含み、
前記第１の入力することは、
文字キー上のタップとして、または前記文字キーから開始するストロークとして、実行される、第１の文字またはシンボルを発生することを含み、
前記第１の文字またはシンボルを発生させることは、
−ひらがな あ、か、さ、た、な、は、ま、や、ら、の内の１つ、または
−ひらがな い、き、し、ち、に、ひ、み、り、の内の１つ、または
−ひらがな う、く、す、つ、ぬ、ふ、む、ゆ、る、の内の１つ、または
−ひらがな え、け、せ、て、ね、へ、め、れ、の内の１つ、または
−ひらがな お、こ、そ、と、の、ほ、も、よ、ろ、の内の１つ、を発生することと、
タップを実行することにより発生されるひらがなはストロークにより発生されるひらがなにより置換えられることと、
−持ち上げることなく、前記第２の選択されるウィンドウにより構成される前記ウィンドウ・クラスターに含まれ、単独で表示される、小さなひらがな文字 ゃ、ゅ、または ょ の内の１つに割当てた少なくとも４ストローク方向の内の１つが実行されると、置換えられたひらがなと、単独で表示された小さなひらがな文字が互いに連接することとを含み、
前記第２の入力することは、
文字キー上のタップとして、または前記文字キーから開始するストロークとして、実行される、第２の文字またはシンボルを発生することを含み、
前記第２の文字またはシンボルを発生することは、
−ひらがな が、ざ、だ、ば、ぱ、の内の１つ、または
−ひらがな ぎ、じ、ぢ、び、ぴ、の内の１つ、または
−ひらがな ぐ、ず、づ、ぶ、ぷ、の内の１つ、または
−ひらがな げ、ぜ、で、べ、ぺ、の内の１つ、または
−ひらがな ご、ぞ、ど、ぼ、ぽ、の内の１つ、を発生することと、
タップを実行することにより発生されるひらがなはストロークにより発生されるひらがなにより置換えられることと、
持ち上げることなく、前記第２の選択されるウィンドウにより構成される前記ウィンドウ・クラスターに含まれ、単独で表示される、小さなひらがな文字 ゃ、ゅ、または ょ の内の１つに割当てた少なくとも４ストローク方向の内の１つが実行されると、置換えられたひらがなと、単独で表示された小さなひらがな文字が互いに連接することとを含み、
前記第３の入力することは、
文字キー上のタップとして、または前記文字キーから開始するストロークとして、実行される、第３の文字またはシンボルを発生することを含み、
前記第３の文字またはシンボルを発生することは、
−ひらがな あ、か、さ、た、な、は、ま、や、ら、の内の１つ、または
−ひらがな い、き、し、ち、に、ひ、み、り、の内の１つ、または
−ひらがな う、く、す、つ、ぬ、ふ、む、ゆ、る、の内の１つ、または
−ひらがな え、け、せ、て、ね、へ、め、れ、の内の１つ、または
−ひらがな お、こ、そ、と、の、ほ、も、よ、ろ、の内の１つ、を発生することと、
タップを実行することにより発生されるひらがなはストロークにより発生されるひらがなにより置換えられることと、
持ち上げることなく、前記第２の選択されるウィンドウにより構成される前記ウィンドウ・クラスターに含まれ、単独で表示される、小さなひらがな文字 ぁ、ぃ、ぅ、ぇ、または ぉ の内の１つに割当てた少なくとも４ストローク方向の内の１つで実行されると、置換えられたひらがなと、単独で表示された小さなひらがな文字が互いに連接することとを含み、
前記第４の入力することは、
文字キー上のタップとして、または前記文字キーから開始するストロークとして、実行される、第４の文字またはシンボルを発生することを含み、
前記第４の文字またはシンボルを発生することは、
−ひらがな あ、か、さ、た、な、は、ま、や、ら、の内の１つ、または
−ひらがな い、き、し、ち、に、ひ、み、り、の内の１つ、または
−ひらがな う、く、す、つ、ぬ、ふ、む、ゆ、る、の内の１つ、または
−ひらがな え、け、せ、て、ね、へ、め、れ、の内の１つ、または
−ひらがな お、こ、そ、と、の、ほ、も、よ、ろ、の内の１つ、を発生することと、
タップを実行することにより発生されるひらがなはストロークにより発生されるひらがなにより置換えられることと、
持ち上げることなく、前記第２の選択されるウィンドウにより構成される前記ウィンドウ・クラスターに含まれ、単独で表示される、小さなひらがな文字 ゎ、または っ の内の１つに割当てた少なくとも４ストローク方向の内の１つで実行されると、置換えられたひらがなと、単独で表示された小さなひらがな文字が互いに連接することとを含む、方法。
【請求項２】
請求項１において、前記シンボルは、シンボルまたは文字またはひらがな文字またはカタカナ文字または漢字文字または表語文字または中国語文字または音節または顔文字または特殊記号である、方法。
【請求項３】
請求項１または２において、シンボルの組み合わせにより、文字列またはシンボル列または文または音節または単語が発生される、方法。
【請求項４】
請求項１ないし３のいずれかにおいて、ひらがなまたはカタカナ文字入力のウィンドウ・クラスターが少なくとも６つのウィンドウから構成される、方法。
【請求項５】
請求項１ないし４のいずれかにおいて、使用される音節表または英文字に依存して、ウィンドウ・クラスターを形成するウィンドウの数と位置が変化する、方法。
【請求項６】
請求項１ないし５のいずれかにおいて、少なくとも４つのストローク方向を使用して異なる入力モードを可能とする、方法。
【請求項７】
請求項１ないし６のいずれかにおいて、前記入力することは、
キー上のタップとして、または前記キーから開始するストロークとして実行され、このストロークは少なくとも４ストローク方向の内の少なくとも１つで実行される機能を切り替えることを含み、
前記機能を切り替えることは、
−４ストローク、５ストローク、６ストローク、７ストローク、８ストローク、９ストローク入力モード間または
−ひらがな、カタカナ、英文字入力モード間または
−ひらがな、カタカナ入力モード間または
−９キーまたは１２キーのひらがな及びカタカナ用の入力部分間、
を切換えることと、
タップを実行することにより切換えられる機能が、ストロークにより切換えられる機能により置換えられることとを含む、方法。
【請求項８】
請求項１ないし７のいずれか記載の方法において、前記入力することは、
文字キー上のタップとして、そして、持ち上げることなくストロークとして、実行されて、予め定義したまたはユーザーが予め定義したショートカット、または動的ショートカ ットを発生することを含む、方法。
【請求項９】
請求項１ないし８のいずれか記載の方法において、前記入力することは、
文字キー上のタップとして、そして、持ち上げることなく、ストロークとして実行されて、持ち上げることなく、ストロークとして実行されて、予め定義したまたはユーザーが予め定義したショートカット、または動的ショートカットを発生することを含む、方法。
【請求項１０】
タッチセンサー面と、前記タッチセンサー面と第１線路を介して接続されたプロセッサ装置とを有する装置であって、前記プロセッサ装置はメモリと入力モジュールとを含み、さらに、
請求項１ないし９のいずれかに記載の方法を前記プロセッサ装置に実行させるプログラムが実装された装置。
【請求項１１】
請求項１０において、前記タッチセンサー面と別個のモニターを有する、装置。
【請求項１２】
請求項１０または１１において、前記装置はモバイル機器、時計、携帯電話または固定装置である、装置。
【請求項１３】
タッチセンサー面を有する装置を制御するプロセッサ装置であって、前記タッチセンサー面と第１線路を介して接続され、メモリと入力モジュールとを含む前記プロセッサ装置により請求項１ないし９のいずれかに記載の方法を実行させるプログラム。
【発明の詳細な説明】
【技術分野】
【０００１】
本発明はペンまたは指とタッチセンサー面による高速書取りシステムの方法と、本方法の実装用の高速書取り装置を記載する。
【背景技術】
【０００２】
電子機器の縮小化は非常な進歩を継続し、ＳＭＳ（ショートメッセージ・システム）やＷＡＰ（無線アプリケーション・プロトコル）のような新たなモバイル・ソリューションを提供している。しかしながら、これらの進歩により提供される利点は、人間工学の欠如した、貧弱な配置の画面のような欠点を伴う。１つの重大な継続する問題はテキストの入力である。
【発明の概要】
【発明が解決しようとする課題】
【０００３】
話し言葉の認識は手書き文字の認識より既に非常に進歩している。それにも係わらず、沈黙形式の文字入力は、秘密性とプライバシーの尊重、例えば公共交通機関、公共の場所及び開放されたオフィスでは望ましい。
【０００４】
最も一般的な文字入力の方法はキーボード、まず最初にＱＷＥＲＴＹキーボードである。キーボードは指を使用してタイプするために設計されている。これが、１０本の指による入力が必要な場合には、最小のサイズが大体２４ｘ８ｃｍである主な理由である。また１０本の指システムの実用的な使用を排除する非常に小さなＱＷＥＲＴＹキーボードの機器もある。１本の指によるより短距離を走行するより良好で明瞭なキーボード配置が存在するため、これは実際意味を持たない。
【０００５】
キーボード配置を学習するもっと効率的で簡単な方法が存在することにも係わらず、ＱＷＥＲＴＹキーボードは標準となっている（エム・ヘランダー（編）、人間−コンピュータ相互作用のハンドブック、エルセヴィア（１９８８）、４７５−４７９頁）。
【０００６】
携帯電話自体と同じ大きさで容量のミニチュアＱＷＥＲＴＹキーボードも携帯電話（ＳＭＳ）でオプションとして利用可能である。補助的なフルサイズのキーボード（ある製品は折り畳み可能である）がタッチスクリーン付パームトップアプリケーションに利用可能である。この種のキーボードはパームトップ機それ自体の容積の約４倍にもなる。これらの例に記載した方式は、縮小化の考えとは相反し、新たなテキスト入力の方法の機器の必要性を指示している。
【０００７】
携帯電話キーボードの数字キーは、多数のひらがな文字によりさらに占有されている。短時間間隔でのキーの何回かの短い駆動により文字の１つが入力される。この形式の文字入力は十分空間節約となっているが、非常に面倒であり遅い。熱心な携帯電話の書き込み者はこの形式のデータ入力で完全性を達成する驚異的な能力を示している。
【０００８】
文字入力を改良する１つの方式はいわゆるタッチスクリーン・モニタを使用することである、何故ならこれは入力と監視の両方の目的に役立つからである。従って利用可能な区域を最適使用にすることが出来る。それ故、キーボードなしのタッチスクリーン・モニタを有する装置は興味ある代案である。
【０００９】
オンスクリーン・キーボード（通常一般にはＱＷＥＲＴＹ）を表示する装置があり、個々のキー部分がペンによりタップされる。基本的には、これらは実際のキーボードを有する既述のパームトップアプリケーション（ＰＳＩＯＮコンピュータＰＬＣ）と同様に動作する。たとえキーボードがペン使用（１本指システム）に最適化されていても、各単一文字は表示される「キー」を必要とし、余分なスクリーン面積を要求する。さらに、各文字は個別にタップされなければならず、これは多くのペン移動を発生させ、同時にエラー傾向を増加する。
【００１０】
いくつかのタッチスクリーン装置が手書き認識を提供している。残念ながら、この機能は適切には動作しない。広範な語彙を使用して全単語を予想しようとするシステムがある。手書きは装置により非常に頻繁に誤って解釈され、使用者を実際の書取り過程からそらしている。手書きで各単一文字（大文字）を入力することを必要とするその他のシステムもあるが、これは非常に遅い。文字は特別な「落書き（Ｇｒａｆｆｉｔｉ）」アルファベットにより入力される必要がある（ユー・エス・ロボティックス、パーム計算部門、ロスアルトス、カリフォルニア州、米国）。落書きアルファベットの頻繁な使用は個人の手書きスタイルの変更を発生させる。これらの装置の別の問題は、メモリ空間と処理容量を要求するその要求の高いプログラミングであり、入力テキストの遅延表示となる。
【００１１】
紙への書取りはサポートが必要であり、手は案内されなければならず、これは制限された空間状態下では特に面倒である。標準的な手書き（ロングハンド）を使用するときには多数の移動が手によって実行されなければならない。ストルゼ／シェレイ（エミル・ハグ）、英語速記、第１６版、１９６０）による速記のような省略書き取り法は高速書取りを可能とする。代わりに、新たな文字、単語の省略及び短縮化、正しくないつづり、書き方を学習しなければならない。同様に速記の流暢な読み方にも高度の学習努力が必要である。
【課題を解決するための手段】
【００１２】
本発明の態様の１つは、データ処理により、シンボルが発生され、または機能が実行されるように、キーとなるシンボルをそれぞれ表示する複数のウィンドウにより構成されるウィンドウ・クラスターをタッチセンサー面上に表示する高速入力システムが、文字を含むシンボルをペンまたは指により入力する方法であって、
タップ及び／またはストロークを使用して入力することを有し、入力することは、
（イ）ペンまたは指が、選択されたウィンドウ上にタップされること。
（ロ）ペンまたは指が少なくとも４つのストローク方向の内の１つに移動され、それが繰り返されることによりシンボルを発生すること。
（ハ）ペンまたは指が持ち上げられ、ウィンドウから外されることによりシンボルが選択
されること。
【００１３】
ステップ（ロ）は、タッチセンサー面上に、ストロークにより選択された第１の選択されたウィンドウの周囲に、少なくとも４つのストローク方向に第１の選択されたウィンドウに隣接して、第１の選択されたウィンドウからのストロークにより選択される複数の第１の選択されるウィンドウであって、シンボルをそれぞれ表示する第１の選択されるウィンドウにより構成されるウィンドウ・クラスターを表示することと、
複数の第１の選択されるウィンドウの１つが第１の選択されたウィンドウからのストロークにより第２の選択されたウィンドウとして選択されると、第１の選択されたウィンドウにより発生されたシンボルを第２の選択されたウィンドウにより発生されたシンボルにより置き換えることと、
置き換えることと並列に、第２の選択されたウィンドウの周囲に、少なくとも４つのストローク方向に第２の選択されたウィンドウに隣接して、第２の選択されたウィンドウからストロークにより選択される複数の第２の選択されるウィンドウであって、シンボルをそれぞれ表示する第２の選択されるウィンドウにより構成されるウィンドウ・クラスターを表示することとを含む。
【００１４】
シンボルは、シンボルまたは文字またはひらがな文字またはカタカナ文字または漢字文字または表語文字または中国語文字または音節または顔文字または特殊記号であってもよい。
【００１５】
シンボルの組み合わせにより、文字列またはシンボル列または文または音節または単語が発生される。
【００１６】
ひらがなまたはカタカナ文字入力のキー部分が少なくとも６つのキーから構成されてもよい。
【００１７】
使用される音節表または英文字に依存して、キーボードを形成するキーの数と位置が変化してもよい。
【００１８】
少なくとも４つのストローク方向を使用して異なる入力モードを可能としてもよい。
【００１９】
ペンまたは指とタッチセンサー面により本方法を実施する高速書取り装置を提供できる。このような装置はまたモバイル応用に非常に適している。
【図面の簡単な説明】
【００２０】
本方法と関係する高速書取りシステムを以下に説明する。図面は以下の通り：
【図１】高速書取りシステムの概略構造図。
【図２】キー部分の説明図。
【図３】音声割り当てによるストローク方向。
【図４】Ａ〜Ｅは、ストローク方向での日本語の入力のシーケンス。
【図５】Ａ〜Ｅは、８ストローク方向での日本語の入力のシーケンス。
【図６】割り当てストローク方向を有する静的キー部分。
【図７】中国語入力のウィンドウ・クラスターのシーケンス。
【発明を実施するための形態】
【００２１】
本発明では以下の用語を定義する：
タップ：          ペンまたは指を同じ位置にダウンする
ストローク：      ダウンして、少なくとも４ストローク方向の内の１つへ単一または複
合ペンまたは指の移動
ショートカット：  シンボル及びシンボルの組合せの、予め定義した、ユーザー定義の動
的入力用の「タップ」及び「ストローク」
シンボル：        シンボル、文字、ひらがな文字、カタカナ文字、漢字記号、表語文字
、中国語文字、音節、顔文字、図記号及び特殊記号
機能：            以下を切り替える「タップ」と「ストローク」
−４ストローク、５ストローク、６ストローク、７ストローク、８ス
トローク、９ストローク入力モード間、
−ひらがな、カタカナ、英字入力モード間、
−例えば英字入力用の９キーまたは１２キーまたは２７キーによるひ
らがな及びカタカナ用の入力部分間、または
コピー、ペースト、カット、削除、バックスペース、スペース、大文
字、大文字ロック、ページアップ、ページダウン、ホーム、エンド、
ｃｔｌｒ、ａｌｔ用の「タップ」と「ストローク」
【００２２】
図１は高速書取り装置１００のブロック線図を図示する。キー部分２とキー３、３’を含むタッチセンサー面１、プロセッサ装置４、メモリ５及び接続線路６、７、８がケース（図示せず）内に装備される。
キー部分２は再配置可能で可変寸法である。
タッチセンサー面１は線路６によりプロセッサ装置４に接続され、プロセッサ装置４はまた、メモリ装置５に接続される。
処理モジュール１１に線路８により接続される入力モジュール９は、プロセッサ装置４に配置される。内部コードは線路８を介して処理モジュールに転送される。
キー部分２は寸法が可変である。キー部分は多数のキーに分割される。シンボルまたは文字のような入力は、キー３、３’の１つを選択する手動のペン２０または指（図示せず）により始動される。
さらに、少なくとも４つの選択された、または望ましいストローク方向１２へのペンまたは指移動が可能であり、その機能を以後定義する。方向は自由に構成可能であり、これにより２つの方向の間の角度は方向の数により分割された３６０度より大きくもなるし小さくもなる。これは、角度が必ずしも同一である必要はないことを意味する。
ペン２０とタッチセンサー面１との間の接触点のｘ／ｙ座標は線路６を介してプロセッサ装置４に転送される。線路６、７、８もまた両方向線路として構成してもよい。
入力されたシンボルまたは文字はプロセッサ装置４で直接処理されてメモリ５に記憶される。
ペン２０は丸めた先端を有し、実際の書取りは可能ではない。これはキーの選択、またはタッチスクリーン上の部分の呼び出し、及びペン移動の実施の目的を果たす。
プロセッサ装置４に実装されたソフトウェアはキー部分でのペンまたは指により実行される入力の全ての処理に必要である。
【００２３】
図２はキーの可能な配置の１つを特徴付けるキー部分を表す。キー部分２は３x３に分
割され、通常矩形状のセルである。本明細書で図示する配置はユーザーの好みを考慮した多数の可能な配置の内の１つである。これらの配置は各言語に固有のものである。
【００２４】
図３は図２による９つのキーの内から派生した５ストローク方向を図示する。その内の４つは音Ｉ、Ｕ、Ｅ、Ｏに割当てられ、１つは特別に識別可能な方向である。ストローク方向「上方」は、タップまたはストロークにより発生されたひらがなに直接続行して実行された場合、前記ひらがなの小文字変形が存在する場合小文字ひらがなに与えられる。これらのストローク方向は２−８ミリメータ長のペン移動または４−２０ミリメータ長の指移動を、後述するように、意図している。これらの特定の５ストローク方向への縮減は非常に人間工学的である。
【００２５】
図２と図３は可能な配置と対応する主要機能を記載している。キー部分は任意の配置での任意数のキーを特徴づけ可能である。図示した例示としての５ストローク方向は数を限定されない。ストローク方向の望ましい数は４、５及び８である。
【００２６】
図４Ａ−４Ｅはペン２０によるタッチセンサー面１上への４ストローク方向での日本語の入力シーケンスを図示する。
【００２７】
図４Ａは何らの入力も実行されていない時のひらがな入力のキー部分を図示する。キー部分はまた少なくとも６キーから構成されるカタカナ文字も可能とする。キーの数と位置は、使用される音節文字表またはアルファベットに依存して変化するキーボード配置を形成する。
【００２８】
図４Ｂは  か  キー上のタップ後のキー部分を図示する。５つのウィンドウから構成されるウィンドウ・クラスターが出現する。中央の白ウィンドウとこれを取り巻く４つの黒ウィンドウである。ウィンドウはシンボルまたはシンボル列を表示し、これにより表示された文字はペンまたは指に対するウィンドウの相対的位置に依存する。
これはいかに  か  を入力するかである。
図４Ａと図４Ｂはタップの操作を図示する。
【００２９】
図４Ｃは  か  キーから始まる下方ストロークを行った後のキー部分を図示する。５つのウィンドウから構成されるウィンドウ・クラスターが出現する。中央の白ウィンドウと、これを取り巻く４つのウィンドウである。
【００３０】
これはいかに  き  を入力するかであり、これにより以前の記号（か）は置換えられる。
図４Ａから図４Ｃは単一ストロークの操作を図示する。オプションとして、左へのさらなるストロークは  ょ  を発生可能である。
図４Ｄは以前の位置から開始した上方ストローク後のキー部分を図示する。４つのウィンドウから構成されるウィンドウ・クラスターが出現する。中央の白ウィンドウとこれを取り巻く３つの黒ウィンドウである。
【００３１】
これはいかに  ぎ  を入力するかであり、これにより以前の記号（き）は置換えられる。
図４Ａから図４Ｄは複合ストローク、すなわち複数ストロークの操作を図示する。
【００３２】
図４Ｅは図４Ｄに示した以前の位置から開始する左方ストローク後のキー部分を図示する。白ウィンドウが現れ、これが入力したシンボルを表示する。
これはいかに  ょ  を入力するかである。
図４Ａから図４Ｅは複合ストローク、すなわち複数ストロークの操作を図示する。
【００３３】
タッチセンサー面がタッチスクリーンの一部である場合、ウィンドウ及びウィンドウ・クラスターが表示される。入力がタッチセンサー面上で実行されてスクリーンが利用可能でない場合、入力は同様に同じストローク方向により発生される。入力は以後の使用のためにメモリ中に保存可能である。
【００３４】
図５Ａ−図５Ｅはペン２０によるタッチセンサー面１上への８ストローク方向による日本語の入力のシーケンスを図示する。
図５Ａは何らの入力も実行されていないキー部分を図示する。
本方法は少なくとも４ストローク方向を使用して異なる入力モードを可能とする。
【００３５】
図５Ｂは  か  キー上のタップ後のキー部分を図示する。９ウィンドウから構成されるウィンドウ・クラスターが現れる。中央の白ウィンドウとこれを取巻く８黒ウィンドウである。ウィンドウはシンボルまたはシンボル列を表示し、これにより表示された文字はペンまたは指に対するウィンドウの相対位置に依存する。
これはいかに  か  を入力するかである。
図５Ａと図５Ｂはタップの操作を図示する。
【００３６】
図５Ｃは  か  キーから開始する下方ストロークを実行した後のキー部分を図示する。９ウィンドウから構成されるウィンドウ・クラスターが現れる。中央の白ウィンドウとこれを取り囲む８ウィンドウである。
これはいかに  き  を入力するかで、これにより以前の記号（か）は置換えられる。
図５Ａから図５Ｃは単一ストロークの操作を図示する。
【００３７】
図５Ｄは以前の位置から開始した右上方ストローク後のキー部分を図示する。９つのウィンドウから構成されるウィンドウ・クラスターが出現する。中央の白ウィンドウとこれを取り巻く３つの黒ウィンドウである。
これはいかに  ぎ  を入力するかであり、これにより以前の記号（き）は置換えられる。図５Ａから図５Ｄは複合ストローク、すなわち複数ストロークの操作を図示する。
【００３８】
図５Ｅは図５Ｄに示した以前の位置から開始する左上方ストローク後のキー部分を図示する。白ウィンドウが現れ、これが入力したシンボルを表示する。
これはいかに  ょ  を入力するかである。
図５Ａから図５Ｅは複合ストローク、すなわち複数ストロークの操作を図示する。
【００３９】
タッチセンサー面がタッチスクリーンの一部である場合、ウィンドウ及びウィンドウ・クラスターが表示される。入力がタッチセンサー面上で実行されてスクリーンが利用可能でない場合、入力は同様に同じストローク方向により発生される。入力は以後の使用のためにメモリ中に保存可能である。
【００４０】
本発明によりシンボルが発生され、または機能が実行され、従って「タップ」及び／または「ストローク」を使用する入力として、
イ）ペンまたは指が予め選択されたキー上にダウンされ、または
ロ）ペンまたは指が少なくとも４つのストローク方向の内の１つに移動され、または
ハ）ペンまたは指が以後再度持ち上げられる、
段階イ）、ロ）及びハ）は各々組み合わされ、かつ段階ロ）は繰り返し可能であり、これにより数回のタップ及び／またはストロークのみによる高速書取り方法及びシステムが作成される。
【００４１】
タップにより組合せ記号が発生可能であり、ストロークにより単一シンボルが発生可能である。シンボルの組合せとして、文字列、シンボル列、文章、音節文字表または単語が発生可能である。
【００４２】
切換え機能がタップまたはストロークにより実行可能であり、これは以下を切換える、−４ストローク、５ストローク、６ストローク、７ストローク、８ストローク、９ストローク入力モード間、または
−ひらがな、カタカナ、英字入力モード間、または
−ひらがな、カタカナ入力モード間、または
−９キーまたは１２キーによるひらがな及びカタカナの入力部分間、を切換え、
タップを実行することにより発生された切換え機能はストロークにより発生された切換え機能により置換えられる。
【００４３】
タップまたはストロークによる  あ  の入力後に  ぁ  が更なるストロークにより発生可能である。同様に、その他の小さいひらがな（ぃ、ぅ、ぇ、ぉ、っ、ゎ、ゃ、ゅ、ょ）もペンまたは指を持ち上げることなくストロークにより発生してもよい。
【００４４】
タップまたはストローク方向の一つにより、以下のひらがなが発生可能である：
−以下のひらがなの一つ  あ、か、さ、た、な、は、ま、や、ら、または
−以下のひらがなの一つ  い、き、し、ち、に、ひ、み、り、または
−以下のひらがなの一つ  う、く、す、つ、ぬ、ふ、む、ゆ、る、または
−以下のひらがなの一つ  え、け、せ、て、ね、へ、め、れ、または
−以下のひらがなの一つ  お、こ、そ、と、の、ほ、も、よ  または  ろ、
【００４５】
ひらがな  か、さ、た、な、は、き、し、ち、に、ひ、く、す、つ、ぬ、ふ、け、せ、て、ね、へ、こ、そ、と、の  または  ほ  の内の一つを発生した後に：
−ペンまたは指を有声記号濁点゛に割当てた方向へ移動可能であり、これによりシンボルは互いに接続されてひらがな  が、ざ、だ、ば、ぎ、じ、ぢ、び、ぐ、ず、づ、ぶ、げ、ぜ、で、べ、ご、ぞ、ど  または  ぼ  が発生される、または
−ペンまたは指を有声記号半濁点゜に割当てた方向へ移動可能であり、これによりシンボルは互いに接続されてひらがな  ぱ、ぴ、ぷ、ぺ  または  ぽ  が発生される。
ひらがな  ぎ、じ、ぢ、び、ぴ  の内の一つが発生された後、ペンまたは指を小さなひらがな  ゃ、ゅ、ょ  に割当てた方向へ移動可能である。各小さなひらがなは常に同じストローク方向により書取り可能である。タップ後、単一ストローク後、及び複合ストローク後。この統一性は、使いやすいため、本発明の利点である。
【００４６】
顔文字及び絵記号は非常に広範囲にかつ増加している。
幸せ顔文字、非常に幸せ顔文字、悲しい顔文字、非常に悲しい顔文字、泣き顔文字、怒り顔文字、くつろいだ顔文字をタップとストロークにより発生可能である。
例えば、タップによる幸せ顔文字から開始した後、少なくとも４つの異なる幸せ顔文字がストロークにより発生可能である。
例えば、タップによるパーティの絵記号から開始した後、カクテルグラス、ビールグラス、踊る人々のような少なくとも４つの異なる絵記号がストロークにより発生可能である。
【００４７】
予め定義したショートカットは頻出するシンボルまたは頻出するシンボルの組み合わせ、すなわち、漢字、中国語文字、説、文等が可能である。
ユーザーが予め定義したショートカットは、ユーザーが自分の好みを基にユーザーにより選択されたシンボルまたはシンボルの組み合わせ、すなわち、漢字、中国語文字、説、文等が可能である。
動的ショートカットは実際の入力に依存し、入力履歴を基にしている。これはタップまたはストロークにより発生される。動的ショートカットの選択は、ユーザーの好みを学習し、リストの先頭に最も頻繁にかつ最も最近に使用された候補を乗せる、既知の先読みシステムや既知の学習システムと同様に動作する。既知の先読みシステムは、入力履歴を基に、実際の入力と整合する全体の節や文を提供し、入力したものを超えてジャンプする。本発明はペンを持ち上げることなくストロークにより動的ショートカットを選択する利点を提供する。
【００４８】
タッチスクリーン上に、異なるキーボード配置及び／または異なるウィンドウ及びウィンドウ・クラスターを表示可能である。異なるキーボード配置は、例えば、ひらがな、カタカナ、または英字入力用の特定の配置が可能である。ひらがなまたはカタカナ配置は通常１２キーまたは９キーのみにより表示される。任意数のキーが表示可能である。少ない数のキーが望ましい。ウィンドウはシンボルまたはシンボル列を表示し、これにより表示部はペンまたは指に対するウィンドウの相対位置に依存する。ペンまたは指位置の右側にあるウィンドウは前記ペンまたは指位置の左側にあるウィンドウとは異なるシンボルまたはシンボル列を表示する。表示されたウィンドウ・クラスターは、２つのキーの内の少なくとも１つの区域に配置された少なくとも２つのウィンドウから構成される。
【００４９】
図６は割り当てストローク方向を有する静的キー部分を図示する。図示のタッチセンサー面は各々に８つの割り当てストローク方向を有する９つのキーの静的視覚触覚表示を特徴とする。これはモニターの脇に配置された別個の入力部分として実施可能であり、またはモニターなしでも使用可能である。複数タップと呼ばれる既知の方法により移動電話の多数のユーザーはキーボードまたは表示部を見ることなくテキスト・メッセージを書き込み可能である、何故なら触覚のフィードバックが提供されるからである。本発明により頻出する日本漢字にもこれが可能となる。タッチセンサー面は、キーの静的な視覚及び触覚表示を特徴とする印刷したまたは接着したラベル・キーボードとして製造可能である。
９キーの１個の望ましいキー寸法は指使用では８から２０ｍｍでペン使用では４から１２ｍｍである。指使用の望ましいストローク長は４から２０ｍｍでペン使用では２から１２ｍｍであり、これはストロークが通常あるキーから他のキーへ行くことを意味する。シンボルを有する小さな黒の四角はキーではない。中央の白の四角とこれを取巻く８個の黒の四角がキーを表す。キーの中央から始まる８方向の内の１つへのストロークにより取巻くシンボルの内の１つが発生される。いずれにせよ、タップがキーの中央で実行されることは必要ではなく、キー内のどこでも実行可能である。同様にストロークはキー内のどこでも開始可能であり、通常キーの境界を越えて実行される。これは本発明の重要な利点である、何故ならたとえ小さなキー上でも迅速で正確な入力が指を使用して可能となるからである。開始点がキーの中央である必要も、またストロークの終了点が開始キーの中にある必要もない。これは本発明の使用を非常に容易にし、小さな入力エラー率を生じる。さらに、８１シンボルが９キーのみにより発生可能である。
【００５０】
中央キーでタップが実行された場合、な  が発生される。図５Ａ−５Ｅで図示したものと同様に、ひらがな  に、ぬ、ね  または  の  はペンを持ち上げることなく単一ストロークにより発生可能である。本実施例では、最も頻出する２７漢字シンボルが単一ストロークにより書取り可能である。これは共通漢字シンボルの相当な部分を構成するためこれは本発明の利点である。単一ストロークのみにより、漢字シンボルが発生可能であり、これは漢字シンボルを紙上に表すために書かなければならない多数のストロークと比較して大きな利点である。
【００５１】
ひらがな  を  と  わ  は中央の  や  のキーから開始するストロークにより発生可能である。この特徴のため、本発明は全てのひらがなの入力を１２の代わりに９キーのみにより可能とする。少ないキーを使用することは利点である、何故なら現代の装置は小さな表面積しか利用可能ではないからである。少ないキーはより大きなキーを意味する。ひらがな  が、ざ、だ、及び  ば  は各キーからの右上方向のストロークにより全て発生可能である。この統一性は、使いやすいため、本発明の利点である。
【００５２】
キー  か  からの上方ストロークにより別のショートカットが発生可能で、これによりカタカナ  カ  を発生する。異なる実施例では、各ひらがなの後で、対応するカタカナがストロークにより利用可能である。これはカタカナ入力モードに切換えることなく必要に応じてカタカナを発生可能とするため、この特徴は非常に有用である。
【００５３】
図７は、９つのウィンドウの各々が中国語文字入力であるウィンドウ・クラスターのシーケンスを図示する。中央のウィンドウ・クラスターは、文字Ａ、Ｅ、Ｉ、Ｏ及びＵ(母音)、２つの非常に頻出する中国語文字及び文字Ｈを表示する８つの黒ウィンドウに取り囲まれた、字Ｃを表示する中央の白ウィンドウから構成される。前記８つの黒ウィンドウで表示されたシンボルはペンまたは指の１ストロークにより発生可能である。
【００５４】
Ｃキーから始まる右へのストロークを実行した後、ＣとＵが発生されて９ウィンドウから構成されるウィンドウ・クラスターが現れる。Ｕを表示する中央の白ウィンドウとこれを取巻く８ウィンドウである：
−５ウィンドウは、そのローマ字表記の最初の２文字が文字組合せＣＵと整合する最も頻出する中国語文字を表示する。５つの中国語文字の各々は対応するウィンドウへのストロークにより発生可能である。
−３つのウィンドウは中国語声調記号１、２及び３を表示する。３つの中国語声調記号の各々は対応するウィンドウへのストロークにより発生可能である。入力が中央のウィンドウ内の円として実行された場合、中国語声調記号４が発生される。ウィンドウが表示されない場合、キー内の円を実行することにより中国語声調記号４が発生される。
【００５５】
ＣとＵを発生した後、上方ストロークにより中国語声調記号２が発生可能である。ここで、例えば９ウィンドウから構成されるウィンドウ・クラスターが現れる（図示せず）。中央の白ウィンドウは２を表示し、８つのウィンドウはこれを取巻く動的ショートカットを表示する。２を表示する中央のウィンドウを取り囲むウィンドウの数は可能な中国語文字（他の実施例ではまたは漢字、またはシンボルまたはシンボルの組合せ）の量に依存する。８つの中国語文字以上のローマ字表記が組合せＣＵ２と整合する場合、ウィンドウ・クラスターは全ての必要なシンボルまたはシンボルの組合せを表示するために必要なウィンドウの量を含むことが可能である。より頻出するシンボルを中央のウィンドウと接触するウィンドウに表示可能である。より頻出するシンボルを中央ウィンドウから開始する方向に表示可能で、これは最も簡単で人間工学的な入力である。ウィンドウ・クラスターは、例えば５Ｘ６ウィンドウ・グリッドで３０ウィンドウを含むことが出来る。中央ウィンドウに隣接していないウィンドウに表示されたシンボルまたはシンボルの組合せは、ペンまたは指をウィンドウ・クラスターの対応するウィンドウへ移動し、ペンまたは指を外して、選択を実行することにより発生される。
【００５６】
Ｃを発生した後、そのローマ字表記の最初の文字が文字Ｃと整合する２つの最も頻出する中国語文字が右上または左上方法のストロークにより発生可能である。例えば、左上のストローク後に、例えば９ウィンドウから構成されるウィンドウ・クラスターが現れる（図示せず）。これは、発生された中国語文字を表示する中央の白ウィンドウと、対応する動的ショートカットを表示するこれを取巻く８ウィンドウを含む。
８つ以上の中国語文字が発生された中国語文字に整合する場合、ウィンドウ・クラスターは全ての必要なシンボルまたはシンボルの組合せを表示するために必要な量を含むことが可能である。
【００５７】
Ｃを発生した後、上方ストロークによりＨを発生可能である。ここで、９ウィンドウから構成されたウィンドウ・クラスターが現れる。Ｈを表示する中央の白ウィンドウ、これは文字Ａ、Ｅ、Ｉ、Ｏ及びＵ（母音）と３つの頻出する中国語文字を表示する８つの黒ウィンドウであり、これらのローマ字表記の最初の２文字はＣＨと整合する。
−母音が発生された場合、ユーザーは例ＣＵで上記の文節で記載したものと同じ方法でさらなるシンボルを発生する同じ可能性を有する。
−中国語文字を発生した場合、ユーザーは以前の文節で記載したものと同じ方法でさらなるシンボルを発生する同じ可能性を有する。
【００５８】
中国語のローマ字表記では、文字組合せＣＨ、ＳＨ、ＺＨが非常に頻出する。それ故、Ｃキー、Ｓキー及びＺキーのタップ後に、Ｈのショートカットが設けられる。このＨショートカット機能は本発明の使用法をさらに効率的なものにする。Ｃ、ＳまたはＺ以外の他のキー上でタップが実行された場合、表示されるウィンドウ・クラスターは以前の文節で記載したものと同様なものである。タップ後に表示される大部分のウィンドウ・クラスターは、５つの母音と３つの頻出する中国語文字を含む。
【００５９】
中国語文字を発生する前にペンが持ち上げられた場合、中国語声調記号を発生するウィンドウは常に利用可能である。これは中国語文字ショートカットまたはＨショートカットのウィンドウの変わりに利用可能である。これを以下の例で説明する：
ローマ字表記ＧＵＡＮ４と整合する中国語文字の１つを発生するためには、
−Ｇがタップにより発生され、ウィンドウ・クラスターでは母音と３つの最も頻出する中国語文字が利用可能であり、Ｕがストロークにより発生され、ペンまたは指が上げられる、
−Ａがタップにより発生され、ウィンドウ・クラスターでは母音と中国語声調記号が利用可能であり、ペンまたは指が上げられる、
−Ｎがタップにより発生され、ウィンドウ・クラスターでは母音と中国語声調記号が利用可能であり、キー内の円を実行することにより中国語声調記号４が発生され、整合する中国語文字を有するウィンドウ・クラスターが表示され、所用の中国語文字がストロークにより選択され、ペンまたは指が持ち上げられる。
【００６０】
カタカナ入力モードでは、入力は、
−カタカナ文字キー上の「タップ」として、または、
−前記カタカナ文字キーから開始する「ストローク」として、または
−ペンを持ち上げることなく、他のストローク後に直接開始する「ストローク」として、実行され、
−このように対応するひらがなと同じ音声を有するカタカナを発生し、
タップを実行することにより発生されたカタカナはストロークにより発生されたカタカナにより置換えられる。
カタカナ入力モードに切換えた後、カタカナはひらがなと同様に発生される。タッチスクリーン上には、すなわちひらがなキー  か  の代わりにカタカナキー  カ  が表示され、カ  は同じキーからタップにより発生可能である。
すなわち、ひらがな  き  のウィンドウの代わりにカタカナ  キ  のウィンドウが表示され、同じキー（カ）から開始して同じ方向の単一ストロークにより  キ  が発生可能である。
すなわち、ひらがなシンボルの組合せ  きゃ  の代わりに、カタカナ・シンボルの組合せ
キャ  が同じキー（カ）から開始して同じ方向の複合ストロークにより発生可能である。
すなわち、ひらがなシンボルの組合せ  ぎゃ  の代わりに、カタカナ・シンボルの組合せ
ギャ  が同じキー（カ）から開始して同じ方向の複合ストロークにより発生可能である。
【００６１】
英文字入力には、本方法は母音を組み合わせる可能性を提供する。
ウィンドウ・クラスターは、例えば、文字Ａ、Ｅ、Ｉ、Ｏ及びＵ（母音）、２つのショートカット及びスペース・シンボルを表示する８つのウィンドウにより取り囲まれた文字Ｃを表示する中央のウィンドウから構成される。前記８ウィンドウに表示されたシンボルはペンまたは指の１ストロークにより発生可能である。Ｃキー上のタップとＵへのストロークを行った後、ＣとＵが発生され、９ウィンドウから構成されるウィンドウ・クラスターが現れる。中央の白ウィンドウはＵを表示する。Ｕは、文字Ａ、Ｅ、Ｉ、Ｏ及びＵ（母音）、２つのショートカット及びスペース・シンボルを表示する８ウィンドウにより取り囲まれる。ＣとＵが既に発生された後、Ｏがさらなるストロークにより発生される。本発明により、ひらがな、カタカナ、英文字入力モード及び中国語文字の間を切換える機能のため、組合せ母音での英文字入力、中国語文字入力、ひらがな及びカタカナ入力が可能となる。１つのストローク方向により同じ母音と母音音声が異なる言語と異なる書取りシステムで発生可能となるため、本発明は非常に良好な有用性を可能とする。
【００６２】
可能な実施例では、タッチセンサー面はタッチスクリーンの一部であり、タッチスクリーンは、抵抗、表面音響波、容量、赤外線、歪ゲージ、光学画像、分散信号技術（ｄｉｓｐｅｒｓｉｖｅ  ｓｉｇｎａｌ  ｔｅｃｈｎｏｌｏｇｙ）、音響パルス認識、フラストレイテッド全体内部反射（ｆｒｕｓｔｒａｔｅｄ  ｔｏｔａｌ  ｉｎｔｅｒｎａｌ  ｒｅｆｆｅｃｔｉｏｎ）、拡散レーザー画像タッチスクリーン、または例えばＷＡＣＯＭスクリーンのような任意のタッチセンサー・スクリーンである。
【００６３】
日本語入力では漢字の入力は学習システムと先読みシステム（ｊｕｍｐ−ａｈｅａｄ  ｓｙｓｔｅｍｓ）の助けにより実行される。これらのシステムは入力すべき可能な漢字の選択を提供する。本発明は、非常に効率的で使いやすい、ペンを持ち上げずに選択可能である利点を提供する。非常に頻出する漢字の所定のショートカットと触覚的なフィードバックの組合せは、移動電話のスクリーンまたはキーを見る必要なしに携帯電話への漢字シンボルの片手入力を可能とする。本発明は異なるシナリオや異なるユーザーに適合する異なるモードでの使用法を可能とする。９キーと組み合わせた４ストローク・モードでの使用法が移動する地下鉄電車で片手で書き込むある種のユーザーには最適である。ユーザーが駅で待っている場合、８ストローク・モードでの入力を好むかもしれないし、または古典的な１２キー配置を好み、キーが少し小さいことを考慮するかもしれない。本発明は、同じ入力方法と同じ使用性で異なる書取りシステムと言語が入力可能である利点を有する。母音または母音音声の方向が、すなわち、ひらがな、カタカナ及び英文字入力モードとは独立に常に同じであるため、この多数言語及び多数スクリプト方式が可能となる。日本語テキスト入力では、ひらがな、カタカナ及び英文字入力が時折混在するため、これは重要である。ひらがなまたはカタカナの頻出する組合せが、同じ音声に対して同じ複合ストロークにより発生可能である。ペンを持ち上げてあるキーへ移動することが必要ないため、これは非常に容易で統一性があり、効率的である。すなわち、小さいひらがな  ゃ  は常に同じストローク方向により発生可能である。同様な理由から、本発明は、中国語及び、例えば英語を書くユーザーに対しても大きな有用性利点を提供する。
【００６４】
本件には、データ処理により、シンボルが発生されまたは機能が実行されるように、キー部分（２）、キー（３、３’）を含み、タッチセンサー面（１）上に文字及びシンボルを入力するペン（２０）または指により実施される高速入力システムの方法が含まれる。この方法において、「タップ」及び／または「ストローク」を使用する入力として、
−イ）ペンまたは指が予め選択されたキー上にダウンされ、または
−ロ）ペンまたは指が少なくとも４つのストローク方向の内の１つに移動され、または
−ハ）ペンまたは指が以後再び持ち上げられる、
段階イ）、ロ）およびハ）が各々組み合わされて、数回の「タップ」及び／または「ストローク」のみによる高速書取り方法とそのシステムを作成することが含まれる。
【００６５】
この方法において、段階ロ）は繰り返し可能であってもよい。この方法において、前記シンボルは、シンボルまたは文字またはひらがな文字またはカタカナ文字または漢字文字または表語文字または中国語文字または音節または顔文字または特殊記号であってもよい。この方法において、シンボルが組み合わされてもよい。この方法において、シンボルの組み合わせにより、文字列またはシンボル列または文または音節または単語が発生されてもよい。この方法において、ひらがなまたはカタカナ文字入力のキー部分（２１）が少なくとも６つのキーから構成されてもよい。この方法において、使用される音節表または英文字に依存して、キーボードを形成するキーの数と位置が変化してもよい。この方法において、少なくとも４つのストローク方向を使用して異なる入力モードを可能としてもよい。
【００６６】
この方法において、入力は、
−キー上の「タップ」として、または
−前記キーから開始する「ストローク」として、実行され、この「ストローク」は少なくとも４ストローク方向の内の少なくとも１つで実行され、
−４ストローク、５ストローク、６ストローク、７ストローク、８ストローク、９ストローク入力モード間または
−ひらがな、カタカナ、英文字入力モード間または
−ひらがな、カタカナ入力モード間または
−９キーまたは１２キーのひらがな及びカタカナ用の入力部分間、
を切換える切換え機能を実行し、
タップを実行することにより発生される切換え機能はストロークにより発生される切換え機能により置換えられてもよい。
【００６７】
この方法において、入力は、
−文字キー上の「タップ」として、または
−前記文字キーから開始する「ストローク」として、実行され、これにより、
−ひらがな  あ、か、さ、た、な、は、ま、や、ら、の内の１つ、または
−ひらがな  い、き、し、ち、に、ひ、み、り、の内の１つ、または
−ひらがな  う、く、す、つ、ぬ、ふ、む、ゆ、る、の内の１つ、または
−ひらがな  え、け、せ、て、ね、へ、め、れ、の内の１つ、または
−ひらがな  お、こ、そ、と、の、ほ、も、よ、ろ、の内の１つ、を発生し、
タップを実行することにより発生されるひらがなはストロークにより発生されるひらがなにより置換えられてもよい。
【００６８】
この方法において、入力は、
−文字キー上の「タップ」として、または
−前記文字キーから開始する「ストローク」として、実行され、これにより、
−ひらがな  が、ざ、だ、ば、ぱ、の内の１つ、または
−ひらがな  ぎ、じ、ぢ、び、ぴ、の内の１つ、または
−ひらがな  ぐ、ず、づ、ぶ、ぷ、の内の１つ、または
−ひらがな  げ、ぜ、で、べ、ぺ、の内の１つ、または
−ひらがな  ご、ぞ、ど、ぼ、ぽ、の内の１つ、を発生し、
タップを実行することにより発生されるひらがなはストロークにより発生されるひらがなにより置換えられてもよい。
【００６９】
この方法において、入力は、
−文字キー上の「タップ」として、または
−前記文字キーから開始する「ストローク」として、実行され、これにより、
−ひらがな  い、き、し、ち、に、ひ、み、わ、り、の内の１つ、または
−ひらがな  い、き、し、ち、に、ひ、み、を、り、の内の１つ、または
−ひらがな  え、け、せ、て、ね、へ、め、わ、れ、の内の１つ、または
−ひらがな  え、け、せ、て、ね、へ、め、を、れ、の内の１つ、を発生し、
タップを実行することにより発生されるひらがなはストロークにより発生されるひらがなにより置換えられてもよい。
【００７０】
この方法において、入力は、
−文字キー上の「タップ」として、または
−前記文字キーから開始する「ストローク」として、実行され、これにより、
−ひらがな  わ、が、ざ、だ、ば、ぱ、の内の１つ、または
−ひらがな  を、が、ざ、だ、ば、ぱ、の内の１つ、または
−ひらがな  わ、ご、ぞ、ど、ぼ、ぽ、の内の１つ、
−ひらがな  を、ご、ぞ、ど、ぼ、ぽ、の内の１つ、を発生し、
タップを実行することにより発生されるひらがなはストロークにより発生されるひらがなにより置換えられてもよい。
【００７１】
この方法において、入力は、
−文字キー上の「タップ」として、または
−前記文字キーから開始する「ストローク」として、実行され、これにより、
−ひらがな  あ、か、さ、た、な、は、ま、や、ら、の内の１つ、または
−ひらがな  い、き、し、ち、に、ひ、み、り、の内の１つ、または
−ひらがな  う、く、す、つ、ぬ、ふ、む、ゆ、る、の内の１つ、または
−ひらがな  え、け、せ、て、ね、へ、め、れ、の内の１つ、または
−ひらがな  お、こ、そ、と、の、ほ、も、よ、ろ、の内の１つ、を発生し、
タップを実行することにより発生されるひらがなはストロークにより発生されるひらがなにより置換えられ、
−持ち上げることなく、
−小さなひらがな文字  ゃ、ゅ、または  ょ  の内の１つに割当てた少なくとも４ストローク方向の内の１つで実行されて、
文字が互いに連接してもよい。
【００７２】
この方法において、入力は、
−文字キー上の「タップ」として、または
−前記文字キーから開始する「ストローク」として、実行され、これにより、
−ひらがな  が、ざ、だ、ば、ぱ、の内の１つ、または
−ひらがな  ぎ、じ、ぢ、び、ぴ、の内の１つ、または
−ひらがな  ぐ、ず、づ、ぶ、ぷ、の内の１つ、または
−ひらがな  げ、ぜ、で、べ、ぺ、の内の１つ、または
−ひらがな  ご、ぞ、ど、ぼ、ぽ、の内の１つ、を発生し、
タップを実行することにより発生されるひらがなはストロークにより発生されるひらがなにより置換えられ、
−持ち上げることなく、
−小さなひらがな文字  ゃ、ゅ、または  ょ  の内の１つに割当てた少なくとも４ストローク方向の内の１つで実行されて、
文字が互いに連接してもよい。
【００７３】
この方法において、入力は、
−文字キー上の「タップ」として、または
−前記文字キーから開始する「ストローク」として、実行され、これにより、
−ひらがな  あ、か、さ、た、な、は、ま、や、ら、の内の１つ、または
−ひらがな  い、き、し、ち、に、ひ、み、り、の内の１つ、または
−ひらがな  う、く、す、つ、ぬ、ふ、む、ゆ、る、の内の１つ、または
−ひらがな  え、け、せ、て、ね、へ、め、れ、の内の１つ、または
−ひらがな  お、こ、そ、と、の、ほ、も、よ、ろ、の内の１つ、を発生し、
タップを実行することにより発生されるひらがなはストロークにより発生されるひらがなにより置換えられ、
−小さなひらがな文字  ぁ、ぃ、ぅ、ぇ、または  ぉ  の内の１つに割当てた少なくとも４ストローク方向の内の１つで実行されて、
文字が互いに連接してもよい。
【００７４】
この方法において、入力は、
−文字キー上の「タップ」として、または
−前記文字キーから開始する「ストローク」として、実行され、これにより、
−ひらがな  あ、か、さ、た、な、は、ま、や、ら、の内の１つ、または
−ひらがな  い、き、し、ち、に、ひ、み、り、の内の１つ、または
−ひらがな  う、く、す、つ、ぬ、ふ、む、ゆ、る、の内の１つ、または
−ひらがな  え、け、せ、て、ね、へ、め、れ、の内の１つ、または
−ひらがな  お、こ、そ、と、の、ほ、も、よ、ろ、の内の１つ、を発生し、
タップを実行することにより発生されるひらがなはストロークにより発生されるひらがなにより置換えられ、
−持ち上げることなく、
−小さなひらがな文字  ゎ、または  っ  の内の１つに割当てた少なくとも４ストローク方向の内の１つで実行されて、
文字が互いに連接してもよい。
【００７５】
この方法において、入力は、
−文字キー上の「タップ」として、または
−前記文字キーから開始する「ストローク」として、実行され、これにより、
−ひらがな  あ、か、さ、た、な、は、ま、や、ら、の内の１つ、または
−ひらがな  い、き、し、ち、に、ひ、み、り、の内の１つ、または
−ひらがな  う、く、す、つ、ぬ、ふ、む、ゆ、る、の内の１つ、または
−ひらがな  え、け、せ、て、ね、へ、め、れ、の内の１つ、または
−ひらがな  お、こ、そ、と、の、ほ、も、よ、ろ、の内の１つ、を発生し、
タップを実行することにより発生されるひらがなはストロークにより発生されるひらがなにより置換えられ、
−持ち上げることなく、
有声記号濁点  ゛または半濁点  ゜に割当てた少なくとも４ストローク方向の内の１つで実行されて、シンボルが互いに連接してもよい。
【００７６】
この方法において、入力は、
−文字キー上の「タップ」として、または
−前記文字キーから開始する「ストローク」として、実行され、これにより、
−濁点  ゛、または
−半濁点  ゜、または
−句読点の一つ、を発生し、
タップを実行することにより発生されるシンボルはストロークにより発生されるシンボルにより置換えられてもよい。
【００７７】
この方法において、入力は、
−文字キー上の「タップ」として、または
−前記文字文字キーから開始する「ストローク」として、実行され、これにより、
−ひらがな  あ、か、さ、た、な、は、ま、や、ら、の内の１つ、または
−ひらがな  い、き、し、ち、に、ひ、み、り、の内の１つ、または
−ひらがな  う、く、す、つ、ぬ、ふ、む、ゆ、る、の内の１つ、または
−ひらがな  え、け、せ、て、ね、へ、め、れ、の内の１つ、または
−ひらがな  お、こ、そ、と、の、ほ、も、よ、ろ、の内の１つ、を発生し、
タップを実行することにより発生されるひらがなはストロークにより発生されるひらがなにより置換えられ、
−持ち上げることなく、
−以下に割当てた少なくとも４ストローク方向の内の１つで、
−ひらがな  が、ざ、だ、ば、ぱ、の内の１つ、または
−ひらがな  ぎ、じ、ぢ、び、ぴ、の内の１つ、または
−ひらがな  ぐ、ず、づ、ぶ、ぷ、の内の１つ、または
−ひらがな  げ、ぜ、で、べ、ぺ、の内の１つ、または
−ひらがな  ご、ぞ、ど、ぼ、ぽ、の内の１つ、で実行されて、
シンボルは互いに連接してもよい。
【００７８】
この方法において、入力は、
−文字キー上の「タップ」として、または
−前記文字キーから開始する「ストローク」として、実行され、これにより、
−ひらがな  あ、か、さ、た、な、は、ま、や、ら、の内の１つ、または
−ひらがな  い、き、し、ち、に、ひ、み、り、の内の１つ、または
−ひらがな  う、く、す、つ、ぬ、ふ、む、ゆ、る、の内の１つ、または
−ひらがな  え、け、せ、て、ね、へ、め、れ、の内の１つ、または
−ひらがな  お、こ、そ、と、の、ほ、も、よ、ろ、の内の１つ、を発生し、
タップを実行することにより発生されるひらがなはストロークにより発生されるひらがなにより置換えられ、
−持ち上げることなく、
−以下に割当てた少なくとも４ストローク方向の内の１つで、
−ひらがな  が、ざ、だ、ば、ぱ、の内の１つ、または
−ひらがな  ぎ、じ、ぢ、び、ぴ、の内の１つ、または
−ひらがな  ぐ、ず、づ、ぶ、ぷ、の内の１つ、または
−ひらがな  げ、ぜ、で、べ、ぺ、の内の１つ、または
−ひらがな  ご、ぞ、ど、ぼ、ぽ、の内の１つ、で実行されて
−持ち上げることなく、
−小さなひらがな文字  ゃ、ゅ、または  ょ  に割り当てた少なくとも４つのストローク方向の内の一つで実行されて、
文字は互いに連接してもよい。
【００７９】
この方法において、カタカナ入力モードで入力は、
−文字キー上の「タップ」として、または
−前記文字キーから開始する「ストローク」として、または、
−ペンを持ち上げることなく、他のストロークから直接に開始する「ストローク」として、実行され、
−対応するひらがなと同じ音声によりカタカナを発生し、
タップを実行することにより発生されるカタカナはストロークにより発生されるカタカナにより置換えられてもよい。
【００８０】
この方法において、入力は、
−文字キー上の「タップ」として、または
−前記文字キーから開始する「ストローク」として、実行され、
−英文字セットの文字の１つを発生し、
タップを実行することにより発生される文字はストロークにより発生される文字により置換えられてもよい。
【００８１】
この方法において、入力は、
−文字キー上の「タップ」として、または
−前記文字キーから開始する「ストローク」として、実行され、
−文字ａ、または
−文字ｉ、または
−文字ｕ、または
−文字ｅ、または
−文字ｏ、を発生し、
タップを実行することにより発生される文字はストロークにより発生される文字により置換えられてもよい。
【００８２】
この方法において、入力は、
−文字キー上の「タップ」として、または
−前記文字キーから開始する「ストローク」として、実行され、
−文字組み合わせａａ、ｂａ、ｃａ、ｄａ、ｅａ、ｆａ、ｇａ、ｈａ、ｉａ、ｊａ、ｋａ、ｌａ、ｍａ、ｎａ、ｏａ、ｐａ、ｑａ、ｒａ、ｓａ、ｔａ、ｕａ、ｖａ、ｗａ、ｘａ、ｙａ、ｚａの内の１つ、または、
−文字組み合わせａｉ、ｂｉ、ｃｉ、ｄｉ、ｅｉ、ｆｉ、ｇｉ、ｈｉ、ｉｉ、ｊｉ、ｋｉ、ｌｉ、ｍｉ、ｎｉ、ｏｉ、ｐｉ、ｑｉ、ｒｉ、ｓｉ、ｔｉ、ｕｉ、ｖｉ、ｗｉ、ｘｉ、ｙｉ、ｚｉの内の１つ、または、
−文字組み合わせａｕ、ｂｕ、ｃｕ、ｄｕ、ｅｕ、ｆｕ、ｇｕ、ｈｕ、ｉｕ、ｊｕ、ｋｕ、ｌｕ、ｍｕ、ｎｕ、ｏｕ、ｐｕ、ｑｕ、ｒｕ、ｓｕ、ｔｕ、ｕｕ、ｖｕ、ｗｕ、ｘｕ、ｙｕ、ｚｕの内の１つ、または、
−文字組み合わせａｅ、ｂｅ、ｃｅ、ｄｅ、ｅｅ、ｆｅ、ｇｅ、ｈｅ、ｉｅ、ｊｅ、ｋｅ、ｌｅ、ｍｅ、ｎｅ、ｏｅ、ｐｅ、ｑｅ、ｒｅ、ｓｅ、ｔｅ、ｕｅ、ｖｅ、ｗｅ、ｘｅ、ｙｅ、ｚｅの内の１つ、または、
−文字組み合わせａｏ、ｂｏ、ｃｏ、ｄｏ、ｅｏ、ｆｏ、ｇｏ、ｈｏ、ｉｏ、ｊｏ、ｋｏ、ｌｏ、ｍｏ、ｎｏ、ｏｏ、ｐｏ、ｑｏ、ｒｏ、ｓｏ、ｔｏ、ｕｏ、ｖｏ、ｗｏ、ｘｏ、ｙｏ、ｚｏの内の１つ、を発生し、
タップを実行することにより発生される文字はストロークにより発生される文字組合せにより置換えられてもよい。
【００８３】
この方法において、入力は、
−文字キー上の「タップ」として、または
−前記文字キーから開始する「ストローク」として、実行され、
−文字組み合わせａａ、ｂａ、ｃａ、ｄａ、ｅａ、ｆａ、ｇａ、ｈａ、ｉａ、ｊａ、ｋａ、ｌａ、ｍａ、ｎａ、ｏａ、ｐａ、ｑａ、ｒａ、ｓａ、ｔａ、ｕａ、ｖａ、ｗａ、ｘａ、ｙａ、ｚａの内の１つ、または、
−文字組み合わせａｉ、ｂｉ、ｃｉ、ｄｉ、ｅｉ、ｆｉ、ｇｉ、ｈｉ、ｉｉ、ｊｉ、ｋｉ、ｌｉ、ｍｉ、ｎｉ、ｏｉ、ｐｉ、ｑｉ、ｒｉ、ｓｉ、ｔｉ、ｕｉ、ｖｉ、ｗｉ、ｘｉ、ｙｉ、ｚｉの内の１つ、または、
−文字組み合わせａｕ、ｂｕ、ｃｕ、ｄｕ、ｅｕ、ｆｕ、ｇｕ、ｈｕ、ｉｕ、ｊｕ、ｋｕ、ｌｕ、ｍｕ、ｎｕ、ｏｕ、ｐｕ、ｑｕ、ｒｕ、ｓｕ、ｔｕ、ｕｕ、ｖｕ、ｗｕ、ｘｕ、ｙｕ、ｚｕの内の１つ、または、
−文字組み合わせａｅ、ｂｅ、ｃｅ、ｄｅ、ｅｅ、ｆｅ、ｇｅ、ｈｅ、ｉｅ、ｊｅ、ｋｅ、ｌｅ、ｍｅ、ｎｅ、ｏｅ、ｐｅ、ｑｅ、ｒｅ、ｓｅ、ｔｅ、ｕｅ、ｖｅ、ｗｅ、ｘｅ、ｙｅ、ｚｅの内の１つ、または、
−文字組み合わせａｏ、ｂｏ、ｃｏ、ｄｏ、ｅｏ、ｆｏ、ｇｏ、ｈｏ、ｉｏ、ｊｏ、ｋｏ、ｌｏ、ｍｏ、ｎｏ、ｏｏ、ｐｏ、ｑｏ、ｒｏ、ｓｏ、ｔｏ、ｕｏ、ｖｏ、ｗｏ、ｘｏ、ｙｏ、ｚｏの内の１つ、を発生し、
タップを実行することにより発生される文字はストロークにより発生される文字組合せにより置換えられ、
−持ち上げることなく、
−更なる「ストローク」を実行して、
−そのローマ字表記の最初の２文字が前記先行する文字組合せと整合する中国語文字を発生し、
前記文字組合せはストロークにより発生される中国語文字により置換えられてもよい。
【００８４】
この方法において、入力は、
−文字キー上の「タップ」として、実行され、そして、
−持ち上げることなく、
−「ストローク」として実行されて、
−そのローマ字表記の最初の文字が前記先行する文字と整合する中国語文字を発生し、
前記文字はストロークにより発生される中国語文字により置換えられてもよい。
【００８５】
この方法において、入力は、
−文字キー上の「タップ」として、実行され、そして、
−持ち上げることなく、
−「ストローク」として実行されて、
−文字ｈを発生し、そして、
−持ち上げることなく、
−以下に割当てた、別の「ストローク」として実行され、
−文字ａ、または、
−文字ｉ、または、
−文字ｕ、または、
−文字ｅ、または、
−文字ｏ、が実行され、
シンボルは互いに連接され、そして、
−持ち上げることなく、
−「ストローク」として実行されて、
−そのローマ字表記の最初の３文字が前記先行した文字組合せと整合する中国語文字を発生し、
タップと２つのストロークを実行することにより発生される３文字はストロークにより発声される中国語文字により置換えられてもよい。
【００８６】
この方法において、入力は、
−文字キー上の「タップ」として、または
−前記文字キーから開始する「ストローク」として、実行され、
−文字組み合わせａａ、ｂａ、ｃａ、ｄａ、ｅａ、ｆａ、ｇａ、ｈａ、ｉａ、ｊａ、ｋａ、ｌａ、ｍａ、ｎａ、ｏａ、ｐａ、ｑａ、ｒａ、ｓａ、ｔａ、ｕａ、ｖａ、ｗａ、ｘａ、ｙａ、ｚａの内の１つ、または、
−文字組み合わせａｉ、ｂｉ、ｃｉ、ｄｉ、ｅｉ、ｆｉ、ｇｉ、ｈｉ、ｉｉ、ｊｉ、ｋｉ、ｌｉ、ｍｉ、ｎｉ、ｏｉ、ｐｉ、ｑｉ、ｒｉ、ｓｉ、ｔｉ、ｕｉ、ｖｉ、ｗｉ、ｘｉ、ｙｉ、ｚｉの内の１つ、または、
−文字組み合わせａｕ、ｂｕ、ｃｕ、ｄｕ、ｅｕ、ｆｕ、ｇｕ、ｈｕ、ｉｕ、ｊｕ、ｋｕ、ｌｕ、ｍｕ、ｎｕ、ｏｕ、ｐｕ、ｑｕ、ｒｕ、ｓｕ、ｔｕ、ｕｕ、ｖｕ、ｗｕ、ｘｕ、ｙｕ、ｚｕの内の１つ、または、
−文字組み合わせａｅ、ｂｅ、ｃｅ、ｄｅ、ｅｅ、ｆｅ、ｇｅ、ｈｅ、ｉｅ、ｊｅ、ｋｅ、ｌｅ、ｍｅ、ｎｅ、ｏｅ、ｐｅ、ｑｅ、ｒｅ、ｓｅ、ｔｅ、ｕｅ、ｖｅ、ｗｅ、ｘｅ、ｙｅ、ｚｅの内の１つ、または、
−文字組み合わせａｏ、ｂｏ、ｃｏ、ｄｏ、ｅｏ、ｆｏ、ｇｏ、ｈｏ、ｉｏ、ｊｏ、ｋｏ、ｌｏ、ｍｏ、ｎｏ、ｏｏ、ｐｏ、ｑｏ、ｒｏ、ｓｏ、ｔｏ、ｕｏ、ｖｏ、ｗｏ、ｘｏ、ｙｏ、ｚｏの内の１つ、を発生し、
タップを実行することにより発生される文字はストロークにより発生される文字により置換えられ、
−持ち上げることなく、
−「ストローク」として実行されて、
−中国語声調記号１または２または３または４を発生し、
−持ち上げることなく、
−「ストローク」として実行されて、
−そのローマ字表記と中国語声調記号が先行する英文字入力と後続の最後に入力された中国語文字と整合している中国語文字を発生してもよい。
【００８７】
この方法において、入力は、
−キー内の円として、実行されて、
−中国語声調記号１または２または３または４を、発生してもよい。
【００８８】
この方法において、入力は、
−キー上の「タップ」として、または、
−前記キーから開始する「ストローク」として実行されて、
−顔文字または絵記号を発生し、
タップを実行することにより発生される顔文字はストロークにより発生される顔文字により置換えられてもよい。
【００８９】
この方法において、入力は、
−キー上の「タップ」として、または、
−前記キーから開始する「ストローク」として、実行されて、
−幸せ顔文字、または−非常に幸せ顔文字、または−悲しい顔文字、または−非常に悲しい顔文字、または−泣き顔文字、または−怒り顔文字、または−くつろいだ顔文字、を発生し、
タップを実行することにより発生される顔文字はストロークにより発生される顔文字により置換えられてもよい。
【００９０】
この方法において、入力は、
−文字キー上の「タップ」として、そして、
−持ち上げることなく
−「ストローク」として、実行されて、
予め定義したまたはユーザーが予め定義した、または動的「ショートカット」を発生してもよい。
【００９１】
この方法において、入力は、
−文字キー上の「タップ」として、そして、
−持ち上げることなく、
−「ストローク」として実行されて、
−持ち上げることなく、
−「ストローク」として実行されて、
予め定義したまたはユーザーが予め定義した、または動的「ショートカット」を発生してもよい。
【００９２】
この方法において、「ショートカット」は、
−漢字または漢字列またはひらがな列またはカタカナ列またはシンボルまたはシンボル列または中国語文字または中国語文字列または文または単語または単語列であってもよい。
【００９３】
この方法において、動的「ショートカット」は先行する単数または複数の入力に依存する「ショートカット」であってもよい。
【００９４】
この方法において、タッチセンサー面はキーの静的視覚及び触覚表現を特徴としてもよい。
【００９５】
この方法において、タッチセンサー面はタッチスクリーンの一部であり、タッチスクリーンは、抵抗、表面音響波、容量、赤外線、歪ゲージ、光学画像、分散信号技術、音響パルス認識、フラストレイテッド全体内部反射、拡散レーザー画像タッチスクリーン、または任意のタッチセンサー・スクリーンであってもよい。
【００９６】
この方法において、タッチスクリーン上に異なるキーボード配置及び／または異なるウィンドウ及びウィンドウ・クラスターが表示されてもよい。
【００９７】
この方法において、ウィンドウはシンボルまたはシンボル列を表示し、ここで表示はペンまたは指に対するウィンドウの相対位置に依存してもよい。
【００９８】
この方法において、ペンまたは指をウィンドウ・クラスターのウィンドウの１つに移動することにより、選択が実行され、これにより前記ウィンドウ上に表示されたシンボルまたはシンボル列を発生してもよい。
【００９９】
この方法において、ペンまたは指をウィンドウ・クラスターのウィンドウの１つに移動し、ペンまたは指を持ち上げることにより、選択が実行され、これにより前記ウィンドウ上に表示されたシンボルまたはシンボル列を発生してもよい。
【０１００】
この方法において、入力は、
ペンまたは指をウィンドウ・クラスターのウィンドウの１つに移動し、ペンまたは指を持ち上げることにより、実行され、
選択が行われた前記ウィンドウに表示されたシンボルまたはシンボル列を発生してもよい。
【０１０１】
この方法において、入力はウィンドウ内の円として実行されて、中国語声調記号１または２または３または４を発生してもよい。
【０１０２】
この方法において、中国語文字入力モードで、入力は、
−文字キー上の「タップ」として、及び／または、
−前記文字キーから開始するＡ、Ｅ、Ｉ、Ｏ、Ｕの「ストローク」として、実行され、
−ペンまたは指が持ち上げられ、再び任意の文字キー上に降ろされ、
Ａ，Ｅ、Ｉ、Ｏ、Ｕと中国語声調記号１、２、３、及び４のウィンドウを有するウィンドウ・クラスターが表示されてもよい。
【０１０３】
本件には、ラップトップＰＣ、パームトップＰＣ等のようなモバイル機器での上記の高速書取り装置の使用が含まれる。また、本件には、時計でのテキスト入力のための上記の高速書取り装置の使用が含まれる。また、本件には、携帯電話でのテキスト入力のための上記の高速書取り装置の使用が含まれる。また、本件には、固定装置、特にデスクトップ機でのテキスト入力のための上記の高速書取り装置の使用が含まれる。
【０１０４】
また、本件には、上記の方法の実行のための高速書取り装置であって、タッチセンサー面（１）、キー部分（２）、キー（３）を含み、タッチセンサー面（１）は第１線路（６）を介してプロセッサ装置（４）に接続され、入力処理は、メモリ（５）を有するプロセッサ装置（４）内の入力モジュール（９）、処理モジュール（１１）、及びソフトウェア・パッケージにより提供される、高速書取り装置が含まれる。この高速書取り装置において、キーの静的視覚及び触覚表現を特長とする印刷されたまたは接着ラベルのキーパッドを有するタッチセンサー面を特徴とする、別個の入力部がモニターの横に配置されていてもよい。
【符号の説明】
【０１０５】
１  タッチセンサー面
２  キー部分
３  キー
４  プロセッサ装置
５  メモリ
９  入力モジュール
１１  処理モジュール
２０  ペン
【図１】
0006482622.tif 000002
【図２】
0006482622.tif 000003
【図３】
0006482622.tif 000004
【図４】
0006482622.tif 000005
【図５】
0006482622.tif 000006
【図６】
0006482622.tif 000007
【図７】
0006482622.tif 000008